(57)【要約】【課題】バッテリケース部からのバッテリの取り出しを容易かつ確実に行うことができ、併せてバッテリの充電又は交換を容易に行うことができるようにする。【解決手段】バッテリケース部１０にバッテリ２０を装填したとき、バッテリケース部１０の切り欠き部１２内に位置するように滑り止めシート２１をバッテリ２０の後端部上面に貼着することができ、充電又は交換のためにバッテリケース部１０からバッテリ２０を取り出す場合には、切り欠き部１２を利用して滑り止めシート２１の指の形状に合わせられている滑り止め部２１ａに指先を掛け、そのまま引き抜くことができる。【選択図】    図１
2004303588.tif 000002
【特許請求の範囲】
【請求項１】
バッテリと、
このバッテリを挿入する挿入口の外周縁部に、指の形状に合わせて切り欠かれた切り欠き部を有するバッテリケース部と、
前記バッテリの後端部上面に貼着される表面が滑り止め部となる滑り止めシートとを備え、
前記滑り止め部は、指の形状に合わせられている
ことを特徴とするバッテリ取出し構造。
【請求項２】
前記滑り止め部は、前記バッテリの少なくとも二面に貼着されていることを特徴とする請求項１に記載のバッテリ取出し構造。
【請求項３】
前記滑り止め部は、前記バッテリから突出するように設けた摘み部を有することを特徴とする請求項１又は２に記載のバッテリ取出し構造。
【発明の詳細な説明】
【０００１】
【発明の属する技術分野】
本発明は、バッテリ取出し構造に係り、特にポータブルプリンタ等の携帯用電子機器に用いられるバッテリの取り出しを容易としたバッテリ取出し構造に関する。
【０００２】
【従来の技術】
ポータブルプリンタ等の携帯用電子機器に用いられるバッテリとして、特許文献１に示されている電池パックがある。これは、図７に示すように、電池３ａ〜３ｄを接続片５ａ，５ｂに接続させて収容する下ケース２と、下ケース２に装着される上ケース１とを備え、帯状の取り出しバンド４の輪の部分にたとえば電池３ａを挿通させ、取り出しバンド４の先端側を上ケース１の切り欠き１ａから外部に露出させるようにしている。また、電池パックを携帯用電子機器の電池パックケース部から取り外す場合には、取り出しバンド４の先端側を持って引き出すようにしている。
【０００３】
【特許文献１】
実開平６−３８１５４号公報
【０００４】
【発明が解決しようとする課題】
ところが、特許文献１に示された取り出しバンド４は、電池３ａ〜３ｄのいずれかに取り付けられるようになっているため、電池３ａ〜３ｄの充電又は交換の際に、電池３ａから取り外した取り出しバンド４を紛失してしまうおそれがある。この場合、取り出しバンド４を紛失してしまうと、電池パックを携帯用電子機器の電池パックケース部から取り外すことが困難となってしまう。
また、電池３ａ〜３ｄを充電又は交換する場合、下ケース２から上ケース１を取り外し、さらに電池３ａに輪の部分を挿通させている取り出しバンド４を、その電池３ａから取り外し、充電又は交換した電池３ａ〜３ｄのいずれかに輪の部分を挿通させる必要があるので、電池３ａ〜３ｄの充電又は交換が煩わしい。
【０００５】
本発明は、このような状況に鑑みてなされたものであり、バッテリケース部からのバッテリの取り出しを容易かつ確実に行うことができ、併せてバッテリの充電又は交換を容易に行うことができるバッテリ取出し構造を提供することができるようにするものである。
【０００６】
【課題を解決するための手段】
本発明のバッテリ取出し構造は、バッテリと、このバッテリを挿入する挿入口の外周縁部に、指の形状に合わせて切り欠かれた切り欠き部を有するバッテリケース部と、バッテリの後端部上面に貼着される表面が滑り止め部となる滑り止めシートとを備え、滑り止め部は、指の形状に合わせられていることを特徴とする。
また、滑り止め部は、バッテリの少なくとも二面に貼着されているようにすることができる。
また、滑り止め部は、バッテリから突出するように設けた摘み部を有するようにすることができる。
本発明に係るバッテリ取出し構造においては、バッテリケース部にバッテリを装填したとき、バッテリケース部の切り欠き部内に位置するように滑り止めシートをバッテリの後端部上面に貼着することができ、充電又は交換のためにバッテリケース部からバッテリを取り出す場合には、切り欠き部を利用して滑り止めシートの指の形状に合わせられている滑り止め部に指先を掛け、そのまま引き抜くことができる。
【０００７】
【発明の実施の形態】
以下、本発明の実施の形態について説明する。
図１は、本発明のバッテリ取出し構造の一実施の形態を示す図であり、バッテリケース部１０と、直方体のバッテリ２０と、バッテリ２０に貼着される滑り止めシート２１とを備えている。バッテリケース部１０は、たとえばポータブルプリンタに設けられているものであって、直方体のバッテリ２０が挿入される挿入口１１と、この挿入口１１の略中央部の外周縁部に指の形状に合わせて切り欠かれた切り欠き部１２とを有している。バッテリ２０の後端部上面には、表面が滑り止め部２１ａとなる指の形状に合わせた滑り止めシート２１が貼着されている。滑り止めシート２１としては、たとえば厚みが０．７ｍｍ程度のシートを用いることができる。このシートは、シート地の両面にポリエンレン又はポリプロピレンのフィルムをコーティングし、裏面には粘着剤層を設け、表面にエンボス加工を施したものである。
【０００８】
また、滑り止めシート２１としては、たとえば厚みが０．３ｍｍ程度で、裏面には粘着剤層を設けたビニロン基布を用いることができる。いずれにしても、滑り止めシート２１としては、できる限り薄く、十分な粘着性を有し、表面が粗く、指先の引っ掛かりが十分であるものが好ましい。また、絶縁性であればさらに好ましい。また、滑り止めシート２１としては、バッテリ２０の表面色と異なる色であってもよい。色付きの場合は、滑り止めシート２１が目立つので、指を引っ掛けるための目印となる。
【０００９】
次に、このような構成のバッテリ取出し構造によるバッテリ２０の取り出し方法について説明する。
まず、バッテリ２０の後端部上面に滑り止めシート２１を貼着する。貼着位置は、バッテリケース部１０の切り欠き部１２に合わせる。この場合、切り欠き部１２に対して多少ずれても指先の引っ掛かりが得られれば問題ない。
【００１０】
そして、バッテリ２０を使用する場合には、図１のように、バッテリケース部１０の挿入口１１からバッテリ２０を挿入する。この場合、滑り止めシート２１の滑り止め部２１ａにたとえば親指を掛けることで、挿入口１１からの挿入の際に誤ってバッテリ２０を落としてしまうことがなく、確実にバッテリケース部１０に装填することができる。バッテリ２０をバッテリケース部１０に装填した後、図示しないカバーにより、挿入口１１が閉じられる。
一方、図２に示すように、充電又は交換のためにバッテリケース部１０からバッテリ２０を取り出す場合には、図示しないカバーを開き、切り欠き部１２を利用して滑り止めシート２１の滑り止め部２１ａに指先を掛け、そのまま引き抜く。このとき、滑り止めシート２１の滑り止め部２１ａは、表面が粗く指先の引っ掛かりが十分であるため、バッテリ２０の引き抜きを容易に行うことができる。
【００１１】
このように、本実施の形態では、バッテリケース部１０にバッテリ２０を装填したとき、バッテリケース部１０の切り欠き部１２内に位置するように滑り止めシート２１をバッテリ２０の後端部上面に貼着することができ、充電又は交換のためにバッテリケース部１０からバッテリ２０を取り出す場合には、切り欠き部１２を利用して滑り止めシート２１の指の形状に合わせられている滑り止め部２１ａに指先を掛け、そのまま引き抜くことができる。
よって、滑り止めシート２１をバッテリ２０の後端部上面に貼着しておくことで、バッテリ２０の充電又は交換の際に、滑り止めシート２１を紛失することがなく、バッテリケース部１０からのバッテリ２０の取り出しを容易かつ確実に行うことができる。また、バッテリ２０の充電又は交換の際、滑り止めシート２１を貼り替える必要がなく、バッテリケース部１０から取り出したバッテリ２０をそのまま充電するか、又は滑り止めシート２１を後端部上面に貼着した新たなバッテリ２０と入れ替えればよいので、バッテリ２０の充電又は交換を容易に行うことができる。
【００１２】
また、滑り止めシート２１をバッテリ２０の後端部上面の任意の位置に貼着することができるので、バッテリケース部１０の切り欠き部１２の切り欠き位置に限定されることなく、バッテリの取り出しを容易に行うことができる。また、バッテリ２０の取り出しは、切り欠き部１２を利用し滑り止めシート２１の滑り止め部２１ａに指先を掛けて行われるため、爪を痛めたりするおそれがなく、安全である。また、バッテリケース部１０の切り欠き部１２の切り欠き位置が異なる他のポータブルプリンタであっても、滑り止めシート２１を異なる切り欠き部１２の切り欠き位置に併せて貼り替えすればよいので、バッテリ２０を他のポータブルプリンタでも共有することができる。
【００１３】
図３は、図１のバッテリ取出し構造の構成を変えた場合の他の実施の形態を示す図であって、バッテリ２０の取り出しの途中を示す斜視図である。
図３の滑り止めシート２１Ａは、指の形状に合わせた滑り止め部２１ａに連続させて摘み部２１ｂを設けるようにしている。滑り止めシート２１Ａを貼着する場合には、摘み部２１ｂをバッテリ２０の後端部から外に出すようにして滑り止め部２１ａをバッテリ２０の後端部上面に貼着する。なお、図３の滑り止めシート２１Ａの厚みや材質等は、上記の滑り止めシート２１と同じであるため、ここではその説明を省略する。また、摘み部２１ｂは、粘着剤を設けないものである。
【００１４】
このような構成では、充電又は交換のためにバッテリケース部１０からバッテリ２０を取り出す場合、摘み部２１ｂを摘むことで、そのまま引き抜くことができる。また、上記同様に、切り欠き部１２を利用して滑り止めシート２１Ａの滑り止め部２１ａに指先を掛け、併せて摘み部２１ｂを摘むことで、さらに容易に引き抜くことができる。
よって、滑り止め部２１ａに連続させた摘み部２１ｂを設けることで、上述した作用効果に加え、バッテリ２０の取り出しがさらに安全かつ容易となることから、バッテリケース部１０の切り欠き部１２をさらに小さくすることができる。また、バッテリケース部１０に切り欠き部１２が設けられていなくても、摘み部２１ｂを摘むことで、そのまま引き抜くことができることから、バッテリケース部１０に切り欠き部１２が設けられていない他のポータブルプリンタでもそのバッテリ２０を共有することができる。
【００１５】
図４は、図１のバッテリ取出し構造の構成を変えた場合の他の実施の形態を示す図であって、バッテリ２０の取り出しの途中を示す斜視図である。
図４の滑り止めシート２２Ａは、バッテリケース部１０に設けられている２つの切り欠き部１２に対応させ、指の形状に合わせた滑り止め部２２ａを２つ設け、これらの滑り止め部２２ａを接続部２２ｂによって一体とし、さらにその滑り止め部２２ａに連続させて滑り止め部２２ｃを設けるようにしている。この滑り止め部２２ｃは、バッテリ２０の後端部側面に貼着されるものである。なお、図４の滑り止めシート２２Ａの厚みや材質等は、上記同様である。
このような構成では、滑り止め部２２ａに連続させて滑り止め部２２ｃを設けるようにしたので、上述した作用効果に加え、バッテリ２０の後端部上面の滑り止め部２２ａと後端部側面の滑り止め部２２ｃとに指先を掛けることで、さらに滑り止め効果が得られることから、バッテリ２０の引き抜きをさらに安全かつ容易に行うことができる。なお、滑り止め部２２ｃは、バッテリケース部１０の形状に合わせるように、バッテリ２０の他の面に設けてもよい。
【００１６】
図５は、図１のバッテリ取出し構造の構成を変えた場合の他の実施の形態を示す図であって、バッテリ２０の取り出しの途中を示す斜視図である。
図５の滑り止めシート２２Ｂは、バッテリケース部１０に設けられている２つの切り欠き部１２に対応させ、指の形状に合わせた滑り止め部２２ａを２つ設け、これらの滑り止め部２２ａを接続部２２ｂによって一体とし、さらにその滑り止め部２２ａに連続させて摘み部２２ｄを設けるようにしている。滑り止めシート２２Ｂを貼着する場合には、摘み部２２ｄをバッテリ２０の後端部から外に出すようにして滑り止め部２２ａをバッテリ２０の後端部上面に貼着する。なお、図５の滑り止めシート２２Ｂの厚みや材質等は、上記同様である。また、摘み部２２ｄは、粘着剤を設けないものである。
このような構成では、滑り止め部２２ａに連続させて摘み部２２ｄを設けるようにしたので、充電又は交換のためにバッテリケース部１０からバッテリ２０を取り出す場合には、摘み部２２ｄを摘むことで、そのまま引き抜くことができる。また、それぞれの切り欠き部１２を利用して滑り止め部２２ａに指先を掛け、併せて摘み部２２ｄを摘むことで、さらに容易に引き抜くことができる。
【００１７】
よって、上述した作用効果に加え、滑り止め部２２ａに連続させた摘み部２２ｄを設けることで、バッテリ２０の取り出しがさらに安全かつ容易となることから、バッテリケース部１０の切り欠き部１２をさらに小さくすることができる。また、バッテリケース部１０に切り欠き部１２が設けられていなくても、摘み部２２ｄを摘むことで、そのまま引き抜くことができることから、バッテリケース部１０に切り欠き部１２が設けられていない他のポータブルプリンタでもそのバッテリ２０を共有することができる。
なお、滑り止めシート２２Ｂにあっては、図６に示すような滑り止めシート２２Ｃとしてもよい。すなわち、指の形状に合わせた滑り止め部２２ｅと滑り止め部２２ｅに連続させた摘み部２２ｆとし、それぞれの滑り止め部２２ｅをバッテリケース部１０の切り欠き部１２に対応させてバッテリ２０の後端部に貼着し、摘み部２２ｆをバッテリ２０の後端部から外に出すようにしてもよく、この場合にも上記同様の作用効果が得られる。
なお、以上の各実施の形態で説明したバッテリ取出し構造においては、ポータブルプリンタに限らず、ＰＤＡ、ノートパソコン等の携帯用電子機器に適用できる。
【００１８】
【発明の効果】
以上の如く本発明に係るバッテリ取出し構造によれば、バッテリケース部にバッテリを装填したとき、バッテリケース部の切り欠き部内に位置するように滑り止めシートをバッテリの後端部上面に貼着することができ、充電又は交換のためにバッテリケース部からバッテリを取り出す場合には、切り欠き部を利用して滑り止めシートの指の形状に合わせられている滑り止め部に指先を掛け、そのまま引き抜くことができるようにしたので、バッテリケース部からのバッテリの取り出しを容易かつ確実に行うことができ、併せてバッテリの充電又は交換を容易に行うことができる。
【図面の簡単な説明】
【図１】図１は、本発明のバッテリ取出し構造の一実施の形態を示す斜視図である。
【図２】図１のバッテリ取出し構造によるバッテリの取り出し方法を説明するための斜視図である。
【図３】図１のバッテリ取出し構造の構成を変えた場合の他の実施の形態を示すものであって、バッテリの取り出しの途中を示す斜視図である。
【図４】図１のバッテリ取出し構造の構成を変えた場合の他の実施の形態を示すものであって、バッテリの取り出しの途中を示す斜視図である。
【図５】図１のバッテリ取出し構造の構成を変えた場合の他の実施の形態を示すものであって、バッテリの取り出しの途中を示す斜視図である。
【図６】図１のバッテリ取出し構造の構成を変えた場合の他の実施の形態を示すものであって、バッテリの取り出しの途中を示す斜視図である。
【図７】従来のバッテリ取出し構造の一例を示す斜視図である。
【符号の説明】
１０  バッテリケース部
１１  挿入口
１２  切り欠き部
２０  バッテリ
２１，２１Ａ，２２Ａ，２２Ｂ，２２Ｃ    滑り止めシート
２１ａ，２２ａ，２２ｃ，２２ｅ  滑り止め部
２１ｂ，２２ｄ，２２ｆ  摘み部
【図１】
2004303588.tif 000003
【図２】
2004303588.tif 000004
【図３】
2004303588.tif 000005
【図４】
2004303588.tif 000006
【図５】
2004303588.tif 000007
【図６】
2004303588.tif 000008
【図７】
2004303588.tif 000009